(57)【要約】      （修正有）【課題】計量カップ蓋液体容器の注ぎ樋蓋が液体容器口部に固定又は簡単に堕着出来ない形状に形成されている場合、液体容器内に液体を補充するにあたり液体を液体詰め替え袋の抽出口より注ぎ樋蓋の注ぎ樋付け根の狭い抽出口に流入する時に注ぎ樋蓋の外にこぼれない構造を提供する。【解決手段】液体容器口部の雄螺子の下に連立突起を形成し、液体容器口部の雄螺子に螺合する雌螺子を形成して成る螺子蓋である液体注ぎ樋蓋裾部内側に連立突起１５に引っ掛かる爪１３設けて、注ぎ樋蓋側部の下部は楕円形状でスカート状に開いて、液体容器の口部へ立ち上がり部と注ぎ樋蓋側部裾は連立突起１５から引っ掛け爪１３を外すことが出来る十分な間隔をとり、注ぎ樋蓋と引っ掛け爪１３を柔軟性合成樹脂で一体成型する。【選択図】図１０
2014012537.tif 000002
【特許請求の範囲】
【請求項１】
容器口部外周に雄螺子が形成されている容器口部雄螺子下に連立突起が配設されており、前記雄螺子に螺合する雌螺子を形成して成る螺子蓋側部の下部はスカート状に開いて螺子蓋裾部内側に爪が前記連立突起に係止される様に形成されている、と共に蓋をした際に容器の口部への立ち上がり部と蓋側部裾との間隔は連立突起から爪を外すことが出来る十分な間隔をとってあることを特徴とする包装容器。
【請求項２】
前記包装容器の螺子蓋裾外側に連立突起が形成されて、連立突起に係止する爪が容器上部に形成されていることを特徴とする請求項１に記載の包装容器。
【請求項３】
前記包装容器の螺子蓋側部裾に下向きに連立突起が形成されて、連立突起に係止する爪が容器上部に形成されていることを特徴とする請求項１又は請求項２に記載の包装容器。
【発明の詳細な説明】
【技術分野】
【０００１】
この発明は、包装容器口部に装着する螺子蓋の係止に関するものである。
【背景技術】
【０００２】
従来、家庭用の汎用液体洗濯洗剤包装容器は、液体容器と液体注ぎ樋蓋と計量カップ蓋とにより構成された計量カップ蓋液体容器が主に使用されていて、この計量カップ蓋液体容器は注ぎ樋蓋が液体容器口部より簡単に堕着出来ない形状に形成されていた。
【先行技術文献】
【特許文献】
【０００３】
【特許文献１】特開２０１０−３０６０６号公報
【特許文献２】特開２０１０−２６０５８３号公報
【発明の概要】
【０００４】
液体容器口部の雄螺子の下に連立突起を形成し、液体容器口部の雄螺子に螺合する雌螺子を形成して成る螺子蓋である液体注ぎ樋蓋裾部内側に前記連立突起に引っ掛かる爪設けて、注ぎ樋蓋側部の下部は楕円形状でスカート状に開いて、液体容器の口部へ立ち上がり部と注ぎ樋蓋側部裾は連立突起から引っ掛け爪を外すことが出来る十分な間隔をとり、注ぎ樋蓋と引っ掛け爪を柔軟性合成樹脂で一体成型する。
【発明が解決しようとする課題】
【０００５】
計量カップ蓋液体容器の注ぎ樋蓋が液体容器口部より簡単に堕着出来ない形状に形成されている場合、液体容器内に液体を補充するにあたり液体を液体詰め替え袋の抽出口より注ぎ樋蓋の注ぎ樋付け根の狭い液体抽出口に液体を流入しなければならず、液体が注ぎ樋蓋の外にこぼれてしまう解決すべき課題がある。
【０００６】
液体容器口部に装着された蓋にピストル形状液体抽出ポンプが装着された液体容器の場合、液体抽出ポンプを使用中に蓋が緩むなど解決すべき課題がある。
【課題を解決するための手段】
【０００７】
本発明の請求項１は、容器口部外周に雄螺子が形成されている容器口部雄螺子下に連立突起が配設されており、前記雄螺子に螺合する雌螺子を形成して成る螺子蓋側部の下部はスカート状に開いて、螺子蓋裾部内側に爪が前記連立突起に係止される様に形成されている、と共に蓋をした際に容器の口部への立ち上がり部と蓋側部裾との間隔は連立突起から爪を外すことが出来る十分な間隔をとってある包装容器である。            
【０００８】
本発明の請求項２は、前記包装容器の螺子蓋裾外側に連立突起が形成されて、連立突起に係止する爪が容器上部に形成されている包装容器である。
【０００９】
本発明の請求項３は、前記包装容器の螺子蓋側部裾に、下向きに連立突起が形成されて、連立突起に係止する爪が容器上部に形成されている包装容器である。
【００１０】
包装容器である液体容器Ａは、液体容器Ａ口部の雄螺子の下に雄螺子の傾斜角度と同じ傾斜角度を持って連立突起を形成し、連立突起に引っ掛かる引っ掛け爪を、液体容器Ａ口部の雄螺子に螺合する雌螺子を形成して成る螺子蓋である液体注ぎ樋蓋の雌螺子下に、雌螺子の傾斜角度と同じ傾斜角度を持って設けて、連立突起と爪とによりラチェットの状態の様にして、引っ掛け爪を注ぎ樋蓋側部の外よりコントロールする為のハンドルレバーを引っ掛け爪より注ぎ樋蓋側部外へ伸ばし、液体容器Ａの口部へ立ち上がり部と注ぎ樋蓋側部裾は密着形状にして、注ぎ樋蓋と、引っ掛け爪と、ハンドルレバーは柔軟性合成樹脂を持ちえて一体成型する。
【００１１】
請求項１に対応する包装容器である液体容器Ｂは、前記注ぎ樋蓋に柔軟性部材を使用し注ぎ樋蓋側部の下部は楕円形状でスカート状に開いて、注ぎ樋蓋裾部内側に雌螺子の傾斜角度と同じ傾斜角度を持って爪を設けて、液体容器Ｂ上部の口部への立ち上がり部に爪に引っ掛かる様に雄螺子の傾斜角度と同じ角度を持って連立突起を形成する、と共に液体容器Ｂの口部へ立ち上がり部と注ぎ樋蓋側部裾は連立突起から引っ掛け爪を外すことが出来る十分な間隔をとり、注ぎ樋蓋と引っ掛け爪を柔軟性合成樹脂で一体成型する。
【００１２】
請求項２に対応する包装容器である液体容器Ｃは、前記注ぎ樋蓋に柔軟性部材を使用し注ぎ樋蓋側部の下部は楕円形状でスカート状に開いて、雌螺子の傾斜角度と同じ傾斜角度を持って連立突起を注ぎ樋蓋裾外側に形成して，注ぎ樋蓋と連立突起を柔軟性合成樹脂で一体成型し、連結突起に引っ掛かる引っ掛け爪を雄螺子の傾斜角度と同じ角度を持って液体容器上部に形成する様に液体容器Ｃを成型する、と共に液体容器Ｃの口部へ立ち上がり部と注ぎ樋蓋側部裾は爪から連立突起を外すことが出来る十分な間隔をとる。
【００１３】
請求項３に対応する包装容器である液体容器Ｄは、前記注ぎ樋蓋に柔軟性部材を使用し注ぎ樋蓋側部の下部はスカート状に開いて、連立突起を注ぎ樋蓋裾に、液体容器Ｄ口部に形成された雄螺子と注ぎ樋蓋側部の雄螺子に螺合する雌螺子の傾斜角度と同じ角度で下向きに形成して，注ぎ樋蓋と連立突起を柔軟性合成樹脂で一体成型し、連結突起に引っ掛かる引っ掛け爪を液体容器Ｄ上部に雄螺子の傾斜角度と同じ傾斜角度持って上向きに形成する、と共に液体容器Ｄの口部へ立ち上がり部と注ぎ樋蓋側部裾は爪から連立突起を外すことが出来る十分な間隔をとる。
【発明の効果】
【００１４】
液体容器Ａは、液体容器Ａ口部の雄螺子の下に連立突起を形成し、連立突起に引っ掛かる引かけ爪を注ぎ樋蓋の雌螺子下に設けて、引っ掛け爪を注ぎ樋蓋側部の外よりコントロールする為のハンドルレバーを引っ掛け爪より注ぎ樋蓋側部外へ伸ばしてあり、注ぎ樋蓋と、引っ掛け爪と、ハンドルレバーは柔軟性合成樹脂を持ちえて一体成型してあることにおいて、注ぎ樋蓋を必要以上に強く閉めることなしに計量カップ蓋を開け閉めしても注ぎ樋蓋と液体容器Ａ口部とは緩むことはなく、液体容器Ａから注ぎ樋蓋はハンドルレバーの操作により簡単に回し緩めて堕着できる。
【００１５】
注ぎ樋蓋と、引っ掛け爪と、ハンドルレバーは柔軟性合成樹脂を持ちえて一体成型してあることにおいて、注ぎ樋蓋と爪との接合部の柔軟性により引っ掛け爪が可動可能になり、連立突起と引っ掛け爪との間にラチェット状態を作ることができる。
【００１６】
液体容器Ａの口部へ立ち上がり部分と注ぎ樋蓋側部裾は密着形状にしてあることにおいて、液体容器Ａ口部雄螺子下の連立突起と、注ぎ樋蓋の雌螺子下に設けた連立突起に引っ掛かる引っ掛け爪との関係の密着度を保つことができる。
【００１７】
液体容器Ｂ及び液体容器Ｃは、注ぎ樋蓋を柔軟性合成樹脂を持ちえて成型して、注ぎ樋蓋側部の下部は楕円形状でスカート状に開いていることにおいて、注ぎ樋蓋裾を指で変形することができる。
【００１８】
液体容器Ｂ及び液体容器Ｃは、注ぎ樋蓋側部の下部は楕円形状でスカート状に開いていることにおいて、注ぎ樋蓋側部裾と液体容器Ａ及び液体容器Ｂ上部の口部へ立ち上がり部との間隔を、連立突起から引っ掛け爪を外すことが出来る十分な間隔を取ることが出来る。
【００１９】
液体容器Ｄは、前記柔軟性注ぎ樋蓋側部の下部はスカート状に開いて、連立突起を注ぎ樋蓋裾に下向きに形成して，注ぎ樋蓋と連立突起を柔軟性合成樹脂で一体成型し、連結突起に引っ掛かる引っ掛け爪を液体容器上部に形成する様に液体容器Ｄを成型する、と共に液体容器Ｄの口部へ立ち上がり部と注ぎ樋蓋側部裾は爪から連立突起を外すことが出来る十分な間隔をとってあることにおいて、爪と連立突起の係合を外側又は内側に解くことができる。
【００２０】
連立突起を注ぎ樋蓋裾に、液体容器Ｄ口部に形成された雄螺子と注ぎ樋蓋側部の雄螺子に螺合する雌螺子の傾斜角度と同じ傾斜角度で下向きに形成して，注ぎ樋蓋と連立突起を柔軟性合成樹脂で一体成型し、連結突起に引っ掛かる引っ掛け爪を液体容器Ｄ上部に雄螺子の傾斜角度と同じ角度で上向きに形成することにおいて、注ぎ樋蓋を閉める際に連立突起に爪がスムースに係止する。
【図面の簡単な説明】
【００２１】
【図１】液体容器Ａ（１）と注ぎ樋蓋（６）の正面図。
【図２】液体容器Ａ（１）と注ぎ樋蓋（６）の平面図。
【図３】液体容器Ａ（１）上部と注ぎ樋蓋（６）の正面図。
【図４】液体容器Ａ（１）上部と注ぎ樋蓋（６）の右側面図。
【図５】液体容器Ａ口部（２）の正面図。
【図６】図２のＡ−Ａ線切断部端面図を示す。
【図７】図４のＢ−Ｂ線切断部端面図を示す。
【図８】液体容器Ｂ（１０）の正面図。
【図９】液体容器Ｂ（１０）と注ぎ樋蓋（１１）の平面図。
【図１０】図８のＣ−Ｃ線切断部端面図を示す。
【図１１】図９のＤ−Ｄ線切断部端面図を示す。
【図１２】図１０の爪（１３）と連立突起（１５）の拡大図を示す。
【図１３】液体容器Ｂ口部（１４）の正面図。
【図１４】液体容器Ｃ（１６）の正面図。
【図１５】図１４のＥ−Ｅ線切断部端面図を示す。
【図１６】液体容器Ｄ（２２）上部と注ぎ樋蓋（２３）の正面図。
【図１７】液体容器Ｄ（２２）上部と液体容器Ｄ口部（２６）の右側面図。
【発明を実施するための形態】
【００２２】
以下図面に基づき説明する。
液体容器Ａ（１）の形態は、液体容器Ａ口部（２）の雄螺子（３）の下に連立突起（４）を雄螺子（３）の傾斜角度と同じ傾斜角度を持って形成し、前記連立突起（４）に引っ掛かる引っ掛け爪（５）を注ぎ樋蓋（６）の雌螺子（７）下に雌螺子（７）の傾斜角度と同じ傾斜角度を持って設けて、引っ掛け爪（５）を注ぎ樋蓋（６）側部の外よりコントロールする為のハンドルレバー（８）を引っ掛け爪（５）より水平に注ぎ樋蓋（６）側部外へ伸ばし、液体容器Ａ（１）の口部へ立ち上がり部と注ぎ樋蓋裾（９）は密着形状にして、注ぎ樋蓋（６）と、引っ掛け爪（５）と、ハンドルレバー（８）は柔軟性合成樹脂を持ちえて一体成型する。
【００２３】
液体容器Ｂ（１０）の形態は、注ぎ樋蓋（１１）側部の注ぎ樋蓋裾（１２）部は楕円形状でスカート状に開いて、注ぎ樋蓋裾（１２）部内側に引っ掛け爪（１３）を雌螺子の傾斜角度と同じ傾斜角度を持って設けて、液体容器Ｂ（１０）上部の液体容器Ｂ口部（１４）への立ち上がり部に連立突起（１５）を引っ掛け爪（１３）に引っ掛かる様に雄螺子の傾斜角度と同じ傾斜角度を持って設ける、と共に液体容器Ｂ（１０）の液体容器Ｂ口部（１４）へ立ち上がり部と注ぎ樋蓋（１１）側部の注ぎ樋蓋裾（１２）は連立突起（１５）から引っ掛け爪（１３）を外すことが出来る十分な間隔をとり、注ぎ樋蓋（１１）と引っ掛け爪（１３）を柔軟性合成樹脂で一体成型する。
【００２４】
液体容器Ｃ（１６）の形態は、注ぎ樋蓋（１７）側部の注ぎ樋蓋裾（１８）部は楕円形状でスカート状に開いて、連立突起（１９）を雌螺子の傾斜角度と同じ傾斜角度を持って注ぎ樋蓋裾（１８）外側に形成する様に，注ぎ樋蓋（１７）と連立突起（１９）を柔軟性合成樹脂で一体成型して、連立突起（１９）に引っ掛かる引っ掛け爪（２０）を雄螺子の傾斜角度と同じ傾斜角度を持って液体容器Ｃ（１６）上部に形成する様に液体容器Ｃ（１６）と爪（２０）を一体成型する、と共に液体容器Ｃ（１６）の液体容器Ｃ口部（２１）へ立ち上がり部と注ぎ樋蓋（１７）側部の注ぎ樋蓋裾（１８）は連立突起（１９）から引っ掛け爪（２０）を外すことが出来る十分な間隔をとる。
【００２５】
液体容器Ｄ（２２）の形態は、注ぎ樋蓋（２３）側部の注ぎ樋蓋裾（２８）部はスカート状に開いて、液体容器Ｄ口部（２６）外周の雄螺子（２７）と雄螺子（２７）に螺合する雌螺子の傾斜角度と同じ傾斜角度を持って連立突起（２４）を注ぎ樋蓋裾（２８）に下向きに形成して、注ぎ樋蓋（２３）と連立突起（２４）を柔軟性合成樹脂で一体成型して、連立突起（２４）に引っ掛かる引っ掛け爪（２５）を雄螺子（２７）の傾斜角度と同じ傾斜角度を持って液体容器Ｄ（２２）上部に形成する様に液体容器Ｄ（２２）と爪（２５）を一体成型する、と共に液体容器Ｄ（２２）の液体容器Ｄ口部（２６）へ立ち上がり部と注ぎ樋蓋（２３）側部の注ぎ樋蓋裾（２８）は連立突起（２４）から引っ掛け爪（２５）を外すことが出来る十分な間隔をとる。
【００２６】
液体容器Ａ（１）への液体の補充は、液体容器Ａ（１）を左手で持ち右手親指と人差し指で液体注ぎ樋蓋裾（９）つかみ、注ぎ樋蓋裾（９）をつかむ祭に親指の第一関節にハンドルレバー（８）をあてがいハンドルレバー（８）を倒しながら注ぎ樋蓋裾（９）を回し連立突起（４）から爪（５）を外し、更に液体容器Ａ（１）から注ぎ樋蓋（６）を外して液体容器Ａ口部（２）より液体を補充する、液体を補充した後注ぎ樋蓋（６）上部を回して連立突起（４）に爪（５）が引っ掛かる迄回す。
【００２７】
液体容器Ｂ（１０）への液体の補充は、液体容器Ｂ口部（１４）の中心を中心として液体注ぎ樋蓋裾（１２）内側の爪（１３）から９０度左右の注ぎ樋蓋裾（１２）の２箇所を親指と人差し指で液体容器Ｂ口部（１４）迄押し付けて連立突起（１５）から爪（１３）を外してから、注ぎ樋蓋裾（１２）を回し緩めて液体容器Ｂ（１０）より注ぎ樋蓋（１１）を外して液体容器Ｂ口部（１４）より液体を補充する、液体を補充した後注ぎ樋蓋（１１）上部を回し連立突起（１５）に爪（１３）が引っ掛かる迄回す。
【００２８】
液体容器Ｃ（１６）への液体の補充は、液体注ぎ樋蓋裾（１８）外側に形成された2箇所の連立突起（１９）すぐ横それぞれの２箇所の注ぎ樋蓋裾（１８）を、親指と人差し指又は中指で液体容器Ｃ口部（２１）迄押し付けて液体注ぎ樋蓋裾（１８）を変形して連立突起（１９）から爪（２０）を外してから、注ぎ樋蓋裾（１８）を回し緩めて液体容器Ｃ（１６）より注ぎ樋蓋（１７）を外して液体容器Ｃ口部（21）より液体を補充する、液体を補充した後注ぎ樋蓋（１７）上部を回し連立突起（１９）に爪（２０）が引っ掛かる迄回す。
【００２９】
液体容器Ｄ（２２）への液体の補充は、液体注ぎ樋蓋裾（２８）に下向きに形成された2箇所の連立突起（２４）すぐ上それぞれの２箇所の注ぎ樋蓋裾（２８）を、親指と人差し指又は中指で液体容器Ｃ口部（２６）迄押し付けて液体注ぎ樋蓋裾（２８）を変形して爪（２５）から連立突起（２４）を外してから、注ぎ樋蓋裾（２８）を回し緩めて液体容器Ｄ（２２）より注ぎ樋蓋（２３）を外して液体容器Ｄ口部（２６）より液体を補充する、液体を補充した後注ぎ樋蓋（２３）上部を回し連立突起（２４）に爪（２５）が引っ掛かる迄回す。
【産業上の利用可能性】
【００３０】
抽出具液体容器、計量カップ蓋液体容器、液体容器を覆う天板を有して成る螺子蓋に使用出来る。
【符号の説明】
【００３１】
１    液体容器Ａ  
２    液体容器Ａ口部
３    雄螺子
４    連立突起
５    爪
６    注ぎ樋蓋
７    雌螺子
８    ハンドルレバー
９    注ぎ樋蓋裾
１０  液体容器Ｂ
１１  注ぎ樋蓋
１２  注ぎ樋蓋裾
１３  爪
１４  液体容器Ｂ口部
１５  連立突起
１６  液体容器Ｃ
１７  注ぎ樋蓋
１８  注ぎ樋蓋裾
１９  連立突起
２０  爪
２１  液体容器Ｃ口部
２２  液体容器Ｄ
２３  注ぎ樋蓋
２４  連立突起
２５  爪
２６  液体容器Ｄ口部
２７  雄螺子
２８  注ぎ樋蓋裾
【図１】
2014012537.tif 000003
【図２】
2014012537.tif 000004
【図３】
2014012537.tif 000005
【図４】
2014012537.tif 000006
【図５】
2014012537.tif 000007
【図６】
2014012537.tif 000008
【図７】
2014012537.tif 000009
【図８】
2014012537.tif 000010
【図９】
2014012537.tif 000011
【図１０】
2014012537.tif 000012
【図１１】
2014012537.tif 000013
【図１２】
2014012537.tif 000014
【図１３】
2014012537.tif 000015
【図１４】
2014012537.tif 000016
【図１５】
2014012537.tif 000017
【図１６】
2014012537.tif 000018
【図１７】
2014012537.tif 000019